(57)【要約】【課題】使用者の体の向きにあわせて使用者を安定的且つ快適に支持することのできる支持構造体、及び該支持構造体を備える座椅子又はソファーを提供する。【解決手段】支持構造体１Ａは、座部フレーム３０と、座部フレーム３０に対して角度が変更可能に連結された背もたれフレーム４０とを備える。座部フレーム３０は、座部主フレーム３０Ａと、座部主フレーム３０Ａにおいて使用者の左右の側部に設けられた座部補助フレーム３５，３６とを含み、座部主フレーム３０Ａと座部補助フレーム３５，３６との間の角度が変更可能である。背もたれフレーム４０は、背もたれ主フレーム４０Ａと、背もたれ主フレーム４０Ａにおいて使用者の左右の側部に設けられた背もたれ補助フレーム４５，４６とを含み、背もたれ主フレーム４０Ａと背もたれ補助フレームと４５，４６との間の角度が変更可能である。【選択図】  図２
0003208798.tif 000002
【実用新案登録請求の範囲】
【請求項１】
座部フレームと、前記座部フレームに対して角度が変更可能に連結された背もたれフレームとを備える支持構造対において、
前記座部フレームは、座部主フレームと、前記座部主フレームにおいて使用者の左側及び右側の少なくとも一方の側部に設けられた座部補助フレームとを含み、前記座部主フレームと前記座部補助フレームとの間の角度が変更可能であり、
前記背もたれフレームは、背もたれ主フレームと、前記背もたれ主フレームにおいて使用者の左側及び右側の少なくとも一方の側部に設けられた背もたれ補助フレームとを含み、前記背もたれ主フレームと前記背もたれ補助フレームとの間の角度が変更可能である
ことを特徴とする支持構造体。
【請求項２】
請求項１に記載の支持構造体において、
前記背もたれ補助フレームは前記背もたれ主フレームおいて使用者の左右両側にそれぞれ設けられている
ことを特徴とする支持構造体。
【請求項３】
請求項１又は２に記載の支持構造体において、
前記座部補助フレームは前記座部主フレーム前記背もたれ主フレームおいて使用者の左右両側にそれぞれ設けられている
ことを特徴とする支持構造体。
【請求項４】
請求項１〜３の何れ一項に記載の支持構造体において、
前記座部主フレームは、使用者の左右方向に沿って配置された第１左フレーム及び第１右フレームによって構成され、これらの第１左フレームと第１右フレームとは第１角度可変機構によって挟角が変更角に連結されており、
前記背もたれ主フレームは、使用者の左右方向に沿って配置された第２左フレーム及び第２右フレームによって構成され、これらの第２左フレームと第２右フレームとは第２角度可変機構によって夾角が変更可能に連結されており、
前記第１角度可変機構と前記第２角度可変機構とは、使用者の左右方向において対応する位置に設けられる
ことを特徴とする支持構造体。
【請求項５】
請求項４に記載の支持構造体において、
前記１左フレームと前記１右フレームとの夾角、及び前記２左フレームと前記２右フレームとは、０°〜１８０°の範囲内で変更可能である
ことを特徴とする支持構造体。
【請求項６】
請求項１〜５の何れか一項に記載の支持構造体と、前記支持構造体に被覆されるクッション部とによって構成される、座椅子又はソファー。
【考案の詳細な説明】
【技術分野】
【０００１】
本考案は、座部フレーム及び背もたれフレームを備える支持構造体及びこの支持構造体を備える座椅子又はソファーに関する。
【背景技術】
【０００２】
例えば特許文献１に開示されたような、座部及び背もたれを備える座椅子が日常生活において広く使用されている。こうした座椅子は、通常、骨格となる支持構造体を有しており、支持構造体は座部及び背もたれに対応する座部フレーム及び背もたれフレームを含んでいる。使用者が座椅子に着座すると、使用者の体は座部フレームと背もたれフレームとによって支持されるようになる。
【先行技術文献】
【特許文献】
【０００３】
【特許文献１】特開２０１５−２２３２７３号公報
【考案の概要】
【考案が解決しようとする課題】
【０００４】
使用者が上述の座椅子を使用する際には通常、背もたれに略垂直な方向に向いて着座するが、例えば長時間に渡って着座した場合、使用者は姿勢を変えて体の向きを左右方向等、他の方向に変えたいことがある。しかし、上記文献に記載されたような従来の座椅子では、座部及び背もたれの支持面が固定されており、使用者が体の向きを変えた際に、使用者を安定的且つ快適に支持することができなかった。
本考案の目的は、使用者の体の向きにあわせて使用者を安定的且つ快適に支持することのできる支持構造体、及び該支持構造体を備える座椅子又はソファーを提供することにある。
【課題を解決するための手段】
【０００５】
上記目的を達成するため、本考案の支持構造体は、座部フレームと、前記座部フレームに対して角度が変更可能に連結された背もたれフレームとを備える支持構造対において、前記座部フレームは、座部主フレームと、前記座部主フレームにおいて使用者の左側及び右側の少なくとも一方の側部に設けられた座部補助フレームとを含み、前記座部主フレームと前記座部補助フレームとの間の角度が変更可能であり、前記背もたれフレームは、背もたれ主フレームと、前記背もたれ主フレームにおいて使用者の左側及び右側の少なくとも一方の側部に設けられた背もたれ補助フレームとを含み、前記背もたれ主フレームと前記背もたれ補助フレームとの間の角度が変更可能であることを特徴とする。
こうした構成によれば、座部主フレームと座部補助フレームとの間の角度が変更可能であり、前記背もたれ主フレームと前記背もたれ補助フレームとの間の角度が変更可能であるため、使用者がこの支持構造体を備える座椅子又はソファーの座部及び背もたれにおいて座部補助フレーム及び背もたれ補助フレームに対応する部分、即ち座部及び背もたれの左右にある端部を、自分に対して適切な角度に調整することができる。これにより、座部主フレーム及び背もたれ主フレームのみによって使用者の体を支持する場合と比較して、より多くの方向において使用者の体を支持することができる。その結果、使用者の体をその向きにあわせて安定的且つ快適に支持することができる。
【０００６】
前記背もたれ補助フレームは前記背もたれ主フレームおいて使用者の左右両側にそれぞれ設けられることが好ましい。
この構成によれば、背もたれの左右両方の端部を自分に対して適切な角度に調整することができるため、使用者をより安定的且つ快適に支持することができる。
【０００７】
前記座部補助フレームは前記座部主フレーム前記背もたれ主フレームおいて使用者の左右両側にそれぞれ設けられることが好ましい。
この構成によれば、座部の左右両方の端部を自分に対して適切な角度に調整することができるため、使用者をより安定的且つ快適に支持することができる。
【０００８】
前記座部主フレームは、使用者の左右方向に沿って配置された第１左フレーム及び第１右フレームによって構成され、これらの第１左フレームと第１右フレームとは第１角度可変機構によって挟角が変更角に連結されており、前記背もたれ主フレームは、使用者の左右方向に沿って配置された第２左フレーム及び第２右フレームによって構成され、これらの第２左フレームと第２右フレームとは第２角度可変機構によって夾角が変更可能に連結されており、前記第１角度可変機構と前記第２角度可変機構とは、使用者の左右方向において対応する位置に設けられることがより好ましい。
こうした構成によれば、背もたれフレームに対応する背もたれ及び座部フレームに対応する座部の左右両部分は、第１角度可変機構及び第２角度可変機構に沿って折り畳むことができる。そのため、この支持構成体を備える座椅子やソファーを収納する際に、自由度を高めるとともに収納のためのスペースを節約できる。
【０００９】
なお、前記１左フレームと前記１右フレームとの夾角、及び前記２左フレームと前記２右フレームとは、０°〜１８０°の範囲内で変更可能である構成が好ましい。
こうした構成によれば、背もたれ及び座部の左右両部分を完全に重なる状態まで折り畳むことができ、この支持構成体を備える座椅子やソファーをよりコンパクトに収納することができる。
【００１０】
本考案に係る座椅子又はソファーは、上記の支持構造体と、前記支持構造体に被覆されるクッション部とによって構成される。
【図面の簡単な説明】
【００１１】
【図１】本考案にかかるソファーが平面状に展開された状態を示す斜視図。
【図２】本考案にかかる支持構造体が平面状に展開された状態を示す平面図。
【図３】図２のＸ方向に沿って見た際の支持構造体の側面図。
【図４】図２のＹ方向に沿って見た際の支持構造体の側面図。
【図５】同ソファーの使用状態を示す斜視図。
【図６】同ソファーの収納状態を示す斜視図。
【考案を実施するための形態】
【００１２】
以下、本実用新案にかかる支持構造体及び該支持構造体を備えるソファーの一実施形態について説明する。図１及び図２に示されるように、ソファー１は、その内部に設けられて骨格となる支持構造体１Ａと、支持構造体１Ａの全体に被覆されたクッション体１Ｂとによって構成されている。また、ソファー１は、座部１０及び背もたれ２０を備えている。座部１０は主座部１１及び補助座部１１Ａ，１１Ｂを含んでおり、補助座部１１Ａ，１１Ｂは、主座部１１において使用者の左側及び右側の側部にそれぞれ設けられている。背もたれ２０は主背もたれ２１及び補助背もたれ２１Ａ，２１Ｂを含んでおり、補助背もたれ２１Ａ，２１Ｂは、主背もたれ２１において使用者の左側及び右側の側部にそれぞれ設けられている。
【００１３】
図２に示されるように、支持構造体１Ａは、座部１０に対応する座部フレーム３０、及び背もたれ２０に対応する背もたれフレーム４０を備えている。これらの座部フレーム３０及び背もたれフレーム４０は、例えばアルミ合金等の硬質材料によって構成されている。
【００１４】
座部フレーム３０は座部主フレーム３０Ａを含んでおり、この座部主フレーム３０Ａは、Ｌ字状の第１〜第４部材３１〜３４を備えており平面視が略矩形を呈する。ソファー１が床に配置される際に、座部主フレーム３０Ａが床と平行する状態になる。第１部材３１と第３部材３３とは、溶接又はリベットによって固定されて第１左フレームを構成する。第２部材３２と第４部材３４とは、溶接又はリベットによって固定されて第１右フレームを構成する。
【００１５】
第１部材３１と第２部材３２とは、第１部材３１に固定されたヒンジ機構３１ａ、第２部材３２に固定されたヒンジ機構３２ａ、及びこれらのヒンジ機構３１ａ，３２ａを連結する仲介部材３７によって接続されている。ヒンジ機構３１ａ，３２ａにより、第１部材３１及び第２部材３２がそれぞれ仲介部材３７に対して０°〜９０°の範囲内で回動可能であり、換言すれば第１部材３１と第２部材３２との夾角は、０°〜１８０°の範囲内で変更可能である。
【００１６】
第３部材３３と第４部材３４とは、第３部材３３に固定されたヒンジ機構３３ａ、第４部材３４に固定されたヒンジ機構３４ａ、及びこれらのヒンジ機構３３ａ，３４ａを連結する仲介部材３８によって接続されている。ヒンジ機構３３ａ，３４ａにより、第３部材３３及び第４部材３４がそれぞれ仲介部材３８に対して０°〜９０°の範囲内で回動可能であり、換言すれば第３部材３３と第４部材３４との夾角は、０°〜１８０°の範囲内で変更可能である。ここで、ヒンジ機構３４ａ〜３４ｄは、第１角度可変機構に相当する。
【００１７】
こうした構成により、第１部材３１と第３部材３３とによって構成された第１左フレームと、第２部材３２と第４部材３４とによって構成された第１右フレームとは、互いに対して０°〜１８０°の範囲内で回動可能である。なお、第１部材３１においてヒンジ機構３１ａが設けられた端部と、第３部材３３においてヒンジ機構３３ａが設けられた端部との間には、補強部材３９ａが設けられている。また、第２部材３２においてヒンジ機構３２ａが設けられた端部と、第４部材３４においてヒンジ機構３４ａが設けられた端部との間には、補強部材３９ｂが設けられている。
【００１８】
図２〜４に示されるように、座部主フレーム３０Ａにおいて使用者の右側の側部には座部補助フレーム３５が設けられている。座部補助フレーム３５は、Ｕ字状の回動部３５ａ、及び溶接又はリベットにより座部主フレーム３０Ａに固定され、回動部３５ａの両端部にそれぞれ対応する２つの固定部３５ｂを備えている。回動部３５ａの両端のうち図２の上側に位置する端部（上端部）は、ヒンジ機構３５ｃを介して対応の固定部３５ｂに連結されるとともに、回動部３５ａの両端のうち図２の下側に位置する端部（下端部）は、ヒンジ機構３５ｄを介して対応の固定部３５ｂに連結されている。ヒンジ機構３５ｄはラチェット機構を含んでおり、このヒンジ機構３５ｄにより、回動部３５ａの下端部が固定部３５ｂ、即ち座部主フレーム３０Ａに対して角度範囲α（本実施形態では１５０°〜１８０°）で回転可能に連結され、角度範囲αにおける所定の角度での位置に固定可能である。一方、ヒンジ機構３５ｃは自由ヒンジであり、回動部３５ａの上端を自由回動可能に支持している。こうした構成によれば、座部補助フレーム３５が座部主フレーム３０Ａに対して角度範囲αで回転可能になり、使用者は自分の好みに従って座部補助フレーム３５を座部主フレーム３０Ａに対して角度範囲α内の所定角度での位置に固定することができる。
【００１９】
座部主フレーム３０Ａにおいて使用者の左側の側部には座部補助フレーム３６が設けられている。この座部補助フレーム３６も、回動部３６ａ、固定部３６ｂ、自由ヒンジであるヒンジ機構３６ｃ、及びラチェット機構を含むヒンジ機構３６ｄを備えており、その構造が座部補助フレーム３５と同様であるため、説明を省略する。
【００２０】
なお、座部フレーム３０の全体にわたって複数の支持線材７０が使用者の左右方向において略同じ間隔で設けられている。これらの支持線材７０は使用者の前後方向に沿って延伸しており、座部フレーム３０の他の部材とともに使用者の体を支持する機能を有している。
【００２１】
座部フレーム３０において図２の上側には、背もたれフレーム４０が設けられている。背もたれフレーム４０は背もたれ主フレーム４０Ａを含んでおり、この背もたれ主フレーム４０Ａは、Ｌ字状の第１〜第４部材４１〜４４を備えており平面視が略矩形を呈する。第１部材４１と第３部材４３とは、溶接又はリベットによって固定されて第２左フレームを構成する。第２部材４２と第４部材４４とは、溶接又はリベットによって固定されて第２右フレームを構成する。
【００２２】
第１部材４１と第２部材４２とは、第１部材４１に固定されたヒンジ機構４１ａ、第２部材４２に固定されたヒンジ機構４２ａ、及びこれらのヒンジ機構４１ａ，４２ａを連結する仲介部材４７によって接続されている。ヒンジ機構４１ａ，４２ａにより、第１部材４１及び第２部材４２がそれぞれ仲介部材４７に対して０°〜９０°の範囲内で回動可能であり、換言すれば第１部材４１と第２部材４２との夾角は、０°〜１８０°の範囲内で変更可能である。
【００２３】
第３部材４３と第４部材４４とは、第３部材４３に固定されたヒンジ機構４３ａ、第４部材４４に固定されたヒンジ機構４４ａ、及びこれらのヒンジ機構４３ａ，４４ａを連結する仲介部材４８によって接続されている。ヒンジ機構４３ａ，４４ａにより、第３部材４３及び第４部材４４がそれぞれ仲介部材４８に対して０°〜９０°の範囲内で回動可能であり、換言すれば第３部材４３と第４部材４４との夾角は、０°〜１８０°の範囲内で変更可能である。ここで、ヒンジ機構４４ａ〜４４ｄは、第２角度可変機構に相当する。
【００２４】
なお、これらのヒンジ機構４１ａ，４２ａ，４３ａ，４４ａと、座部フレーム３０におけるヒンジ機構３１ａ，３２ａ，３３ａ，３４ａとは、使用者の左右方向において対応する位置に設けられている。より詳細には、ヒンジ機構３１ａ，３３ａ，４１ａ，４３ａが同じ直線に位置するとともに、ヒンジ機構３２ａ，３４ａ，４４ａ，４２ａが同じ直線に位置している。
【００２５】
こうした構成により、第１部材４１と第３部材４３とによって構成された第２左フレームと、第２部材４２と第４部材４４とによって構成された第２右フレームとは、互いに対して０°〜１８０°の範囲内で回動可能である。なお、第１部材４１においてヒンジ機構４１ａが設けられた端部と、第３部材４３においてヒンジ機構４３ａが設けられた端部との間には、補強部材４９ａが設けられている。また、第２部材４２においてヒンジ機構４２ａが設けられた端部と、第４部材４４においてヒンジ機構４４ａが設けられた端部との間には、補強部材４９ｂが設けられている。
【００２６】
なお、背もたれフレーム４０の全体にわたって複数の支持線材７０が使用者の左右方向において略同じ間隔で設けられている。これらの支持線材７０は使用者の略上下方向に沿って延伸しており、背もたれフレーム４０の他の部材とともに使用者の体を支持する機能を有している。
【００２７】
また、背もたれ主フレーム４０Ａの第１部材４１は、ヒンジ機構５１を介して座部主フレーム３０Ａの第１部材３１に連結されており、背もたれ主フレーム４０Ａの第２部材４２は、ヒンジ機構５２を介して座部主フレーム３０Ａの第２部材３２に連結されている。これらのヒンジ機構５１，５２はラチェット機構である。これらのヒンジ機構５１，５２により、背もたれ主フレーム４０Ａ（背もたれフレーム４０）が座部主フレーム３０Ａ（座部フレーム３０）に対して所定の角度範囲β（本実施形態では１００°〜１８０°）で回転可能に連結され、角度範囲βにおける所定の角度での位置に固定可能である。換言すれば、背もたれフレーム４０は座部フレーム３０に対して使用者の前後方向に沿って回動可能に連結されており、使用者は自分の好みに従って背もたれフレーム４０を座部フレーム３０に対して角度範囲β内の所定角度での位置に固定することができる。
【００２８】
背もたれ主フレーム４０Ａにおいて使用者の右側の側部には背もたれ補助フレーム４５が設けられている。背もたれ補助フレーム４５は、Ｕ字状の回動部４５ａ、及び溶接又はリベットにより背もたれ主フレーム４０Ａに固定され、回動部４５ａの両端部にそれぞれ対応する２つの固定部４５ｂを備えている。回動部４５ａの両端のうち図２の上側に位置する端部（上端部）は、ヒンジ機構４５ｃを介して対応の固定部４５ｂに連結されるとともに、回動部４５ａの両端のうち図２の下側に位置する端部（下端部）は、ヒンジ機構４５ｄを介して対応の固定部４５ｂに連結されている。ヒンジ機構４５ｃはラチェット機構を含んでおり、このヒンジ機構４５ｃにより、回動部４５ａの上端部が固定部４５ｂ、即ち背もたれ主フレーム４０Ａに対して角度範囲γ（本実施形態では１５０°〜１８０°）で回転可能に連結され、角度範囲γにおける所定の角度での位置に固定可能である。一方、ヒンジ機構４５ｄは自由ヒンジであり、回動部４５ａの下端を自由回動可能に支持している。こうした構成によれば、背もたれ補助フレーム４５が背もたれ主フレーム４０Ａに対して角度範囲γで回転可能になり、使用者は自分の好みに従って背もたれ補助フレーム４５を背もたれ主フレーム４０Ａに対して角度範囲γ内の所定角度での位置に固定することができる。
【００２９】
背もたれ主フレーム４０Ａにおいて使用者の左側の側部には背もたれ補助フレーム４６が設けられている。この背もたれ補助フレーム４６も、回動部４６ａ、固定部４６ｂ、自由ヒンジであるヒンジ機構４６ｄ、及びラチェット機構を含むヒンジ機構４６ｃを備えており、その構造が背もたれ補助フレーム４５と同様であるため、説明を省略する。
【００３０】
上述したように、内部に設けられて骨格となる支持構造体１Ａと、支持構造体１Ａの全体に被覆されたクッション体１Ｂとによってソファー１が構成されている。背もたれフレーム４０が座部フレーム３０に対して角度範囲βで回転可能であるため、図５に示されるように、使用者が座部１０に着座してソファー１を使用する際に、背もたれ２０を使用者の前後方向に回動させて、自分の好みに従って背もたれ２０と座部１０との間の角度を調整することができる。
【００３１】
また、上述したように、使用者は自分の好みに従って座部補助フレーム３５，３６を座部主フレーム３０Ａに対して角度範囲α内の所定角度での位置に固定することができる。更に、使用者は自分の好みに従って背もたれ補助フレーム４５，４６を背もたれ主フレーム４０Ａに対して角度範囲γ内の所定角度での位置に固定することができる。そのため、図５に示されるように、使用者は、自分の好みに従って補助座部１１Ａ，１１Ｂを主座部１１に対して、そして補助背もたれ２１Ａ，２１Ｂを主背もたれ２１に対して所定の角度での位置に固定することができる。
【００３２】
また、本実施形態では角度範囲βを１００°〜１８０°に設定しているため、図１に示されるように、ソファー１を平面状（β＝１８０°）に調整し、ベッドとして使用することができる。この場合は、補助座部１１Ａ，１１Ｂと主座部１１との間の角度、及び補助背もたれ２１Ａ，２１Ｂと主背もたれ２０との間の角度を調整することにより、これらの補助座部１１Ａ，１１Ｂ、補助背もたれ２１Ａ，２１Ｂに枕の機能を持たせることもできる。
【００３３】
座部主フレーム３０Ａの第１左フレームと第１右フレームとは、互いに対して０°〜１８０°の範囲内で回動可能であり、背もたれ主フレーム４０Ａの第２左フレームと第２右フレームとは、互いに対して０°〜１８０°の範囲内で回動可能である。更に、背もたれ主フレーム４０Ａにおけるヒンジ機構４１ａ，４２ａ，４３ａ，４４ａと、座部主フレーム３０Ａにおける座部フレーム３０におけるヒンジ機構３１ａ，３２ａ，３３ａ，３４ａとは、使用者の左右方向において対応する位置に設けられている。そのため、ソファー１は、図１，図２に示されるように平面状に調整された状態から、ヒンジ機構３１ａ，３３ａ，４１ａ，４３ａが位置する直線、及びヒンジ機構３２ａ，３４ａ，４４ａ，４２ａが位置する直線に沿って、左右対称の２つの部分が重なるように折り畳むことができる。図６は、このように折り畳まれたソファー１の状態を示している。
【００３４】
本実施形態により、以下の効果を得ることができる。
（１）座部補助フレーム３５，３６と座部主フレーム３０Ａとの間の角度が範囲αで変更可能であり、背もたれ補助フレーム４５，４６と背もたれ主フレーム４０Ａとの間の角度が範囲γで変更可能であるため、使用者がソファー１の座部１０及び背もたれ２０において座部補助フレーム３５，３６及び背もたれ補助フレーム４５，４６に対応する部分、即ち補助座部１１Ａ，１１Ｂ及び補助背もたれ２１Ａ，２１Ｂを、自分に対して適切な角度に調整することができる。これにより、座部主フレーム３０Ａ及び背もたれ主フレーム４０Ａのみによって使用者の体を支持する場合と比較して、より多くの方向において使用者の体を支持することができる。その結果、使用者の体をその向きにあわせて安定的且つ快適に支持することができる。
（２）背もたれ２０及び座部１０の左右両部分は、ヒンジ機構３１ａ，３３ａ，４１ａ，４３ａが位置する直線、及びヒンジ機構３２ａ，３４ａ，４４ａ，４２ａが位置する直線に沿って、左右対称の２つの部分が完全に重なるように折り畳むことができる。そのため、ソファー１を収納する際に、背もたれ２０及び座部１０の左右両部分を完全に重なる状態まで折り畳むことができ、ソファーをコンパクトに収納することができる。
【００３５】
本実施形態は以下のように変形することもできる。
・上述の実施形態では、座部補助フレーム３５，３６と座部主フレーム３０Ａとの間の角度、及び背もたれ補助フレーム４５，４６と背もたれ主フレーム４０Ａとの角度が１５０°〜１８０°で調整可能にしたが、これに限らず、これらの角度の調整可能な範囲を他の値に設定してもよい。
・上述の実施形態では、背もたれ主フレーム４０Ａおいて使用者の左右両側にそれぞれ背もたれ補助フレーム４５，４６を設けたが、これに限らず、背もたれ主フレーム４０Ａにおいて使用者の左右両側の何れか一方のみに背もたれ補助フレーム設けても良い。
・上述の実施形態では、座部主フレーム３０Ａにおいて使用者の左右両側にそれぞれ座部補助フレーム３５，３６を設けたが、これに限らず、座部主フレーム３０Ａにおいて使用者の左右両側の何れか一方のみに座部補助フレーム３５，３６設けても良い。
・上述の実施形態では、背もたれ２０及び座部１０の左右両部分は、第１角度可変機構及び第２角度可変機構により、左右対称の２つの部分が完全に重なるように折り畳むことができる構成を採用したが、これに限らず、収納の自由度に対する要求が高くない場合は、これらの第１角度可変機構及び第２角度可変機構を省略しても良い。また、背もたれ２０及び座部１０の左右両部分が完全に重ならず、所定の角度を有する状態まで折り畳むことのできる構成を採用しても良い。
・上述の実施形態は、本考案を支持構造体及びこの支持構造体を備えるソファーに適用された場合を例示したが、こうした支持構造体を備える座椅子に本考案を適用することもできる。本考案を上記支持構造体を備える座椅子に適用する場合は、同様の効果を得ることができる。
【図１】
0003208798.tif 000003
【図２】
0003208798.tif 000004
【図３】
0003208798.tif 000005
【図４】
0003208798.tif 000006
【図５】
0003208798.tif 000007
【図６】
0003208798.tif 000008